(57)【要約】      （修正有）【課題】目視により適温か否かを確認でき、安全で、清潔な離乳食を乳幼児に与えることができる離乳食用示温スプーンを提供する。【解決手段】離乳食の温度を感知する部位が具備される舌部と、持ち手部であり検知温度によって色が変化する鼻部が附設された頭部から成り、鼻部が３９度以上の時は赤色、３６度から３８度まで降温した時には緑色に変化する。【選択図】図１
0003162525.tif 000002
【実用新案登録請求の範囲】
【請求項１】
離乳食用スプーンであって、離乳食の温度を感知する部位を一端に有し、持手部の一部には検知温度によって色が変わる部位から成る事を特徴とする離乳食用示温スプーン。
【請求項２】
舌部と頭部から成り、舌部の一部に温度感知部が具備され、その部位を介して頭部に附設される鼻部が温度により、例えば熱い時は赤色、適温に下がった時には緑色に変化する事を特徴とする請求項1に記載の離乳食用示温スプーン。                      
【請求項３】
色変化により降温したかを確認出来る素材として塗料、シール、インク等を使用する事を特徴とする請求項1乃至請求項2のいずれか1項に記載の離乳食用示温スプーン。  
【考案の詳細な説明】
【技術分野】
【０００１】
本考案は離乳食を乳幼児に食べさせる時に使用するスプーンに関する。
【背景技術】
【０００２】
従来、母親や父親が乳幼児にスプーン等を用いて離乳食を授食する際には熱い離乳食の温度を下げる時に器に盛られた離乳食の中の温度を下げる為、空気に触れるよう良くかき混ぜてから体感的に乳幼児にとって適温かを授食する者が先ず自分の舌で安全を確認した上で与えているが、個人差があり判断の基準となるものが無かった。  
【０００３】
その為、離乳食やミルクが適温迄降温した事を液晶表示で確認できるミルク適温計（特許文献1）や、温度計付きスプーン（非特許鵜文献1）さらに温度によって色が変わるスプーン（非特許文献2）等が提案されている 。       
【先行技術文献】
【特許文献】
【０００４】
【特許文献１】特開平9-72791号公報
【非特許文献】
【０００５】
【非特許文献１】html://www.factory-direct.jp/SHOP/9220x3set.html
【非特許文献２】http://www.seihin.com/s/2004/08/22_2336.php
【考案の概要】
【考案が解決しようとする課題】
【０００６】
母親、あるいは父親が乳幼児に離乳食を授食させる際には、乳幼児にとってやけどなどする事のないよう先ず授食者が自分の身体の一部、主に舌を使って適温であるか確認してから乳幼児に授食させるのが一般的である。しかし授食者が体感的に判断する為、その時の体調、事前に食したモノ等の影響により離乳食の温度が必ずしも適温であるという基準が無い。
【０００７】
又、前記のように授食者が乳幼児にとって適温であるかどうか一度口に入れ、安全を確認してから授食させる動作を繰り返す為、授食者の唾液からさまざまなばい菌が乳幼児に移ってしまい、衛生面では大きな問題である。
【０００８】
又、従来のように電池を使って液晶表示させるタイプのものはその為の部品点数も多く、 さらに電池切れで使用不可能となったり、電池交換等のわずらわしさがある。
【０００９】
本考案は上記の問題を解決する為になされたものであり、乳幼児にとっての安心、安全を 図る事を目的とした離乳食用示温スプーンを提供するものである。
【課題を解決するための手段】
【００１０】
本考案は上記目的を達成する為に、サーモクロミック材料、すなわち温度による色変化を応用する事で、熱い離乳食が適温（例えば36度から38度）に降温したかが目視で確認できる離乳食用適温感知スプーンを提供できる。サーモクロミック材料にはインク、塗料の他、サーモトロビック液晶等さまざまな素材が用意されており、それらをスプーンの一部に具備する事で、従来のように授食者の口腔を使うことなく適温か否かを確認でき、安全で、清潔な離乳食を乳幼児に与える事ができる。                                          
【００１１】
又、本考案は電気部品、バッテリー、液晶デイスプレイ等を使用しない為部品点数も少なく生産コストが押さえられ、又電池切れで使用不可能という事も起こらず半永久的に使用できるものである。                 
【考案の効果】
【００１２】
一実施形態に係る本考案の離乳食用示温スプーンによれば、それまで乳幼児に授食させる離乳食の温度は授食者の感覚を基に熱いとか、冷めたとかの判断で乳幼児に与えていたが、その判断基準は人によりさまざまであり必ずしも乳幼児にとって適温であるとは云えない状況であったが、本考案の請求項2 に示すよう、乳幼児にとっての授食適温が視覚を通して確認出来、安心、安全な離乳食用スプーンを提供できるものである。具体的には以下に示す通りである。
【００１３】
請求項1に示すよう本考案の離乳食用示温スプーンの一部に具備されたサーモクロミック材料により離乳食が熱い時は例えば赤色を示しており、適温（36度から38度）に降温したら緑色に変化する事で目視により確実に判断出来るという効果がある。
【００１４】
それまで適温まで降温したかを確認するため、授食者が自らの口に含み、体感的に判断していた行為が必用とせず、その為乳幼児が雑菌、ばい菌などに感染する危険を回避する事ができ、安心、安全な授食ができるという効果がある。                           
【図面の簡単な説明】
【００１５】
【図１】本考案の一実施形態に係る離乳食用示温スプーンの斜視図。
【図２】同離乳食用示温スプーンの構成部品を表す斜視図。
【図３】同離乳食用示温スプーンの背面斜視図。
【図４】同離乳食用示温スプーンの分解斜視図。
【図５】エラー! リンクが正しくありません。温度感知部の別案図。
【図６】エラー! リンクが正しくありません。温度感知部の別案図。
【図７】エラー! リンクが正しくありません。正面図。
【図８】エラー! リンクが正しくありません。背面図。
【図９】エラー! リンクが正しくありません。右側面図。
【図１０】エラー! リンクが正しくありません。天面図。
【図１１】エラー! リンクが正しくありません。底面図。
【図１２】同離乳食用示温スプーンのa-a断面図。
【考案を実施するための形態】
【００１６】
以下に実施例を示す事で本考案の詳細を説明するが、本考案の離乳食用示音スプーンを構成する材料は各種の材料を使用する事が出来、構成も設計変更出来る。本考案は多くの異なる態様で実施することが可能であり、以下に示す実施例の記載内容に限定して解釈されるものではない。 
【実施例】
【００１７】
図1は本考案離乳食用示音スプーンの一実施形態に係る斜視図である。大きくは猫の形をした頭部1と舌部2から成り、頭部1には鼻部3、舌部2には温度感知部2bが  組み込まれる。 鼻部3及び温度感知部2bは透明樹脂（例えば、アクリル、ポリカーボネイト等）により一体で成形される。温度感知部2bは熱い離乳食を空気をからませながらかきまぜる為、スプーンの先端から7、8ミリ程の位置が器の内部の温度を感知し易く好適である。いずれの部品も食品を扱うという観点から熱を加えても毒素の出ない合成樹脂（例えばポリプロピレンやポリカーボネイト）等で成形する事が望ましい。
【００１８】
図2は本考案離乳食用示音スプーンの一実施形態に係る構成部品を示す図である。頭部1は上ケース1a, 下ケース1bから成り、上ケース1aには鼻部3の穴が設けられる。又舌部2は上ケース2a,下ケース2cから成り上ケース2aにはスプーン部4が具備され、先端から7、8ミリ程の位置には温度感知部2bの穴が設けられる。
【００１９】
図3は本考案離乳食用示温スプーンの一実施形態に係る背面図であるが、使用後スポンジ等により清潔に洗浄しやすいよう、細かな凹凸が極力無いよう大きなR面で形成されている。      
【００２０】
図4は本考案離乳食用示温スプーンの構成部品を示す分解斜視図である。予め組み上げられた頭部上ケース1aと舌部上ケースに設けられた穴に内接するよう感知部2bと鼻部  3が透明合成樹脂により一体で薄肉成形され、その底面には温度によりその色が変色する事を特徴とする日油技研工業株式会社のサーモペイント（登録商標）が塗布された温度感知部材5を下側より 圧入する。其の後舌部下ケース2cを舌部上ケース2aに組み付け、最後に頭部下ケース1を組み付ける事で本考案離乳食用示温スプーンが出来上がる。
【００２１】
又、前記温度感知部材5の底面にサーモペイント（登録商標）を塗布する以外、図5に示すよう温度感知部材5と同形状で切り抜かれた同日油技研工業株式会社のサーモラベル（登録商標）を貼付けても良く、本考案離乳食用示温スプーンの目的を同様に得られるものである。
【００２２】
又、図6に示すよう温度感知部材5を中空のブロー成形で作製し、その中にサーモクロミックインクを注入して、本考案離乳食用示温スプーンの目的を達成しても良い。サーモクロミックインクには赤、黄、緑、青等の色があり、例えば緑色は34°以上になるとその色が白色に成るという性質を利用して、最初緑色だったインクが，熱い離乳食をかき混ぜている時は白色と変色し、降温するに従ってその色が元の緑色に更に変色するという性質を応用するものである。本考案の離乳食用示温スプーンは使用後は衛生面から水洗いがなされる為、各部品の勘合部には防水の為のシール、或はパッキン類が必用となる。
【００２３】
本考案の離乳食用示温スプーンに係る一実施形態によれば、離乳食の入った器の中を冷ます為、かき混ぜている最中でも、頭部1aに具備される鼻部3に現われる色で降温したか否かが視覚を通して確認できる上、電気部品等一切使用する事なく半永久的に使用できる。
【００２４】
図7は本考案離乳食用示温スプーンの一実施形態に係る正面図であり、その全長L1を115ミリ、全幅L3を35ミリ程にする事が扱い易く好適である。また舌部は乳幼児の口に合わせ、最大幅L4を20ミリ程に設定する事が望ましい 。
【００２５】
図8は本考案の一実施形態に係る背面図であり、洗浄しやすいよう細かな凹凸はない。      
【００２６】
図9は本考案の一実施形態に係る右面図であり頭部1の厚さL5は持ち易いよう13から15ミリ程とし、舌部の厚さL6は4ミリ程が扱い易く好適である。
【００２７】
図10は本考案の一実施形態に係る天面図であり、図11は底面図である。
【００２８】
図12は本考案の一実施形態に係るa-a断面図（拡大）である。
【産業上の利用可能性】
【００２９】
本考案離乳食用適温感知スプーンによれば、構成する部品点数も比較的少なく、シンプルな構造である為、安価で安心、安全離乳食用スプーンを提供できるものである。
【符号の説明】
【００３０】
1・・・頭部
1a・・・上ケース
1b・・・下ケース
2・・・舌部                
2a・・・上ケース
2b・・・温度感知部
2c・・・下ケース
3・・・鼻部
4・・・スプーン部
5・・・温度感知部材
6・・・サーモラベル（登録商標）
【図１】
0003162525.tif 000003
【図２】
0003162525.tif 000004
【図３】
0003162525.tif 000005
【図４】
0003162525.tif 000006
【図５】
0003162525.tif 000007
【図６】
0003162525.tif 000008
【図７】
0003162525.tif 000009
【図８】
0003162525.tif 000010
【図９】
0003162525.tif 000011
【図１０】
0003162525.tif 000012
【図１１】
0003162525.tif 000013
【図１２】
0003162525.tif 000014
【手続補正書】
【提出日】平成22年2月8日(2010.2.8)
【手続補正１】
【補正対象書類名】明細書
【補正対象項目名】００１５
【補正方法】変更
【補正の内容】
【００１５】
【図１】本考案の一実施形態に係る離乳食用示温スプーンの斜視図。
【図２】同離乳食用示温スプーンの構成部品を表す斜視図。
【図３】同離乳食用示温スプーンの背面斜視図。
【図４】同離乳食用示温スプーンの分解斜視図。
【図５】同離乳食用示温スプーンの温度感知部の別案図。
【図６】同離乳食用示温スプーンの温度感知部の別案図。
【図７】同離乳食用示温スプーンの正面図。
【図８】同離乳食用示温スプーンの背面図。
【図９】同離乳食用示温スプーンの右側面図。
【図１０】同離乳食用示温スプーンの纏綿図。
【図１１】同離乳食用示温スプーンの底面図。
【図１２】同離乳食用示温スプーンのａ−ａ断面図。
【手続補正書】
【提出日】平成22年3月30日(2010.3.30)
【手続補正１】
【補正対象書類名】実用新案登録請求の範囲
【補正対象項目名】全文
【補正方法】変更
【補正の内容】
【実用新案登録請求の範囲】
【請求項１】
離乳食用スプーンであって、離乳食の温度を感知する部位を一端に有し持ち手部の一部には前記温度を感知する部位で検知された温度によって色が変化する部位から成る事を特徴とする離乳食用示温スプーン。
【請求項２】
離乳食の温度を感知する部位が具備される舌部と、持ち手部であり前記検知温度によって色が変化する部位としての鼻部が附設された頭部から成り、鼻部が例えば熱い時は赤色、適温まで（例えば３６度から３８度）降温した時には緑色に変化する事を特徴とする請求項１に記載の離乳食用示温スプーン。
【請求項３】
前記鼻部の色変化により降温したかを確認できる手段として塗料、シール、インクのいずれかを使用する事を特徴とする請求項１乃至請求項２のいずれか１項に記載の離乳食用示温スプーン。
【手続補正書】
【提出日】平成22年6月9日(2010.6.9)
【手続補正１】
【補正対象書類名】実用新案登録請求の範囲
【補正対象項目名】全文
【補正方法】変更
【補正の内容】
【実用新案登録請求の範囲】
【請求項１】
離乳食用スプーンであって、離乳食の温度を感知する部位を一端に有し持ち手部の一部には前記温度を感知する部位で検知された温度によって色が変化する鼻部から成る事を特徴とする離乳食用示温スプーン。
【請求項２】
離乳食の温度を感知する部位が具備される舌部と、持ち手部であり前記検知温度によって色が変化する部位としての鼻部が附設された頭部から成り、鼻部が３９度以上の時は赤色、３６度から３８度まで降温した時には緑色に変化する事を特徴とする請求項１に記載の離乳食用示温スプーン。
【請求項３】
前記鼻部の色変化により降温したかを確認できる手段として塗料、シール、インクのいずれかを使用する事を特徴とする請求項１乃至請求項２のいずれか１項に記載の離乳食用示温スプーン。